(57)【要約】【課題】本発明は、富士山で滑落した登山者をレスキューがヘリで駆けつけ、被災者を引き上げ中に起きた事故について、被災者の意識がなかったのか、スリンクで引き上げ中に3ｍの高さから転落させたニュースを見て、意識をなくした被災者も確実に吊り上げられるハーネスを提供することにある。【解決手段】人を吊り上げるのに、スリンクだけでは転落させかねない恐れがあり、スリンクのほかに、力帯でスリンクに連結させることで人の股下を支えさらに体を包み込むことでスリンクから抜け落ちない構造を有し、はくだけでハーネスを形成した、はくだけハーネスを提供することにある。【選択図】図１１
2017136169.tif 000002
【特許請求の範囲】
【請求項１】
現状では、ヘリコプターなどでの人命救助では、簡単なスリンクで被災者を吊り上げているので、意識がない被災者では自重の体重でスリンクから抜ける体勢になり、場合によっては介助者が支えられなくなる場合が生じ、せっかく助けた被災者を高所から転落させる事故もあり、本発明は、被災者を包み込めるスリンクの構造を備え、意識のない被災者でも、はかせる事で体を包み込める、はくだけハーネスを提供することにある。
【発明の詳細な説明】
【技術分野】
【０００１】
本発明は、被災者が高所から脱出するにも器具から外れず、ヘリコプターで吊り上げられても被災者の身体を落とすことのないハーネスを提供することにある。
【背景技術】
【０００２】
社会のインフラも変わり、災害時にヘリコプターが多用され、富士山での滑落に救助に当たった救助隊員が、被災者を収容しようとし、被災者の意識がなかったのか、スリンクから抜け落ち高度１０ｍからの２次災害を与えてしまう事故があり、助けた救助者もせっかく助けても自ら落としてしまったような心苦しさも生まれたように思われる。
そこで被災者をはくだけで体を包み、被災者に意識がなくてもハーネスをはかせるだけで救助ができるハーネスを提供するために考案した本発明である。
【先行技術文献】
【特許文献】
【０００３】
【特許文献１】特表２０１３−５３５２８８  付属解除機構付の拘束および引き上げハーネス
【特許文献２】文献番号  ６３１４５７９  サバイバル衣服
【特許文献３】中実抄  ２０３１０８０１８  デバイスを出る救命オーバー頭部ロープ抄録文
【発明の概要】
【発明が解決しようとする課題】
【０００４】
本発明は、富士山で滑落した登山者をレスキューがヘリで駆けつけ、被災者を引き上げ中に起きた事故について、被災者の意識がなかったのか、スリンクで引き上げ中に3ｍの高さから転落させたニュースを見て、意識をなくした被災者も確実に吊り上げられるハーネスを提供することにある。
【課題を解決するための手段】
【０００５】
体を包む縦長の生地（１）を用意し、上から半分のところに折り返し部（２）を設け、生地（１）を上下の端を合わせて折りたたみ、身体収納パンツ（３）の素材とし、折りたたんだ生地の下部を折り返し部（２）とし、
折り返し部（２）の左右に足だし開口部（５）を設け、足だし開口部（５）の切り口の繊維がバラけるのを防ぐため、足だし開口部（５）の切り口をのりで固定した上で足だし開口部補強布（７）で足だし開口部（５）を補強し、身体収納パンツ（３）を構成するため、生地（１）の左右で前後の生地を側面接着縫合部（６）とし、前後の生地を接合して、パンツの形状を作り、上部を身体挿入開口部（４）とする、
また、別の生地で帯の形状をしたスリンク部材（８）と、折り返し部（２）で体重を支える補強材として、力帯１（９）と力帯２（１０）を別途につくり置きし、
身体収納パンツ（３）の正面右上から股間にあたる折り返し部（２）の右片を通り、背の左肩に至る力帯１（９）を施し、接着、溶着、圧着、縫合等で設け、
身体収納パンツ（３）の正面左上から股間にあたる折り返し部（２）の左片を通り背の右肩に至る力帯２（１０）を施し、接着、溶着、圧着、縫合等で設け、
折り返し部（２）より脇の下を上限とする位置にスリンク部材（８）の上部にあて、スリンク部材（８）のまんなかを背中の中心としスリンク部材（８）を身体収納パンツ（３）の外周をまわすように施し、接着、溶着、圧着、縫合等で設ける、
図５が示すとおりにスリンク部材（８）が正面の両方の力帯１（９），２（１０）を胸の前で交差したら、図６が示すように
力帯１（９）はスリンク部材（８）に折り返し、さらにスリンク部材（８）の上で右に平行して折り返して施し、前側の力帯１の折り曲げ部（１３）とし、それらの部材が動かないように身体収納パンツ（３）とスリンク部材（８）と力帯１の折り曲げ部（１３）とをあわせて施し、接着、溶着、圧着、縫合等で固定するように設ける、
また、正面の力帯２（９）も、スリンク部材（８）に向かって折り返し、さらにスリンク部材（８）上ですリンク部材（８）と平行して左に向かって折り返すように施して正面の力帯２の折り曲げ部（１３）とし部材が動かないように身体収納パンツ（３）とスリンク部材（８）と力帯２の折り曲げ部（１３）とをあわせて施し、接着、溶着、圧着、縫合等で固定するように設ける、
力帯１（９），２（１０）の背面部も正面と同様に、力帯１（９）をスリンク部材（８）の上からスリンク部材（８）に向かって折り、スリンク部材（８）の上で、背面では左方向にスリンク部材（８）と平行に折り曲げて力帯１．２背面折り曲げ部（１２）とし、力帯２（１０）をスリンク部材（８）の上からスリンク部材（８）に向かって折りスリンク部材（８）の上で、背面では右方向にスリンク部材（８）と平行に折り曲げて力帯１．２背面折り曲げ部（１２）とし、身体収納パンツ（３）とスリンク部材（８）と力帯１の折り曲げ部（１３）とをあわせて施し、接着、溶着、圧着、縫合等で固定するように設ける、
また、スリンク部材（８）の上に出ている身体収納パンツ（３）の生地をスリンクカバー部（１１）とし、スリンク部材（８）が隠れるように折り返してスリンクカバー（１１）として施し、身体収納パンツ（３）前面でスリンク部材（８）がスリンクカバー（１１）の上に出るように左右にスリンク部材通し穴（１４）を２箇所設け、
右のスリンク部材通し穴（１４）には、胴の右から来たスリンク部材（８）を通し、左のスリンク部材通し穴（１４）には、胴の左から来たスリンク部材（８）を通して、スリンクカバー（１１）の上に出して施す、
スリンクカバー（１１）の下側で身体収納パンツ（３）と接着、溶着、圧着、縫合等でスリンク部材（８）と力帯１（９）、力帯２（１０）の重ねた部分を隠す様に施し、身体収納パンツ（３）とスリンク部材（８）と力帯１（９）、力帯２（１０）の重ねた部分を隠す様に施したスリンクカバー（１１）の上から、数段の間隔で縫合するように設けて固定する、
スリンクカバー（１１）の上に出てきたスリンク部材（８）の細くなった部分をアイ（１５）とし、細くなったスリンク（８）の中間で折り曲げて、目玉のようなアイ（１５）を形成するためスリンク部材の細くなった先端と元を接着、溶着、圧着、縫合等でアイ（１５）を構成するように施して、はくだけハーネス本体（１９）を形成する、
使い方ははくだけハーネス本体（１９）を被災者に履かせ、両方のアイ（１５）をカラビナ（１８）でまとめ、カラビナ（１８）にワイヤーフック（１７）を引っ掛けるか、ワイヤーフック（１７）で両方のアイ（１５）を引っ掛けてワイヤー（１６）を巻き上げて使用することで、被災者を落とすことがない、はくだけハーネスが提供できる。
【発明の効果】
【０００６】
本発明のはくだけハーネス本体（１９）を、被災者に手渡し、はいてもらうか、救助者がはかせる事で吊り上げても脇の下と股間で被災者の体重を支えるので、意識がない被災者でも自重の重みでスリンクから抜け落ちることがないハーネスが提供できる。
【図面の簡単な説明】
【０００７】
【図１】布図
【図２】袋を構成し足の開口部図
【図３】スリンク部材と力帯図
【図４】力帯の取り付け図
【図５】スリンク部材配置図
【図６】力帯１，２正面処理図
【図７】力帯１,２の正面処理図と背面処理図
【図８】スリンクカバー部処理図
【図９】スリンクの先端処理図
【図１０】スリンクのアイ作成図
【図１１】はくだけハーネス本体利用図
【発明を実施するための形態】
【０００８】
体を包む縦長の生地（１）を用意し、上から半分のところに折り返し部（２）を設け、生地（１）を上下の端を合わせて折りたたみ、身体収納パンツ（３）の素材とし、折りたたんだ生地の下部を折り返し部（２）とし、
折り返し部（２）の左右に足だし開口部（５）を設け、足だし開口部（５）の切り口の繊維がバラけるのを防ぐため、足だし開口部（５）の切り口をのりで固定した上で足だし開口部補強布（７）で足だし開口部（５）を補強し、身体収納パンツ（３）を構成するため、生地（１）の左右で前後の生地を側面接着縫合部（６）とし、前後の生地を接合して、パンツの形状を作り、上部を身体挿入開口部（４）とする、
また、別の生地で帯の形状をしたスリンク部材（８）と、折り返し部（２）で体重を支える補強材として、力帯１（９）と力帯２（１０）を別途につくり置きし、
身体収納パンツ（３）の正面右上から股間にあたる折り返し部（２）の右片を通り、背の左肩に至る力帯１（９）を施し、接着、溶着、圧着、縫合等で設け、
身体収納パンツ（３）の正面左上から股間にあたる折り返し部（２）の左片を通り背の右肩に至る力帯２（１０）を施し、接着、溶着、圧着、縫合等で設け、
折り返し部（２）より脇の下を上限とする位置にスリンク部材（８）の上部にあて、スリンク部材（８）のまんなかを背中の中心としスリンク部材（８）を身体収納パンツ（３）の外周をまわすように施し、接着、溶着、圧着、縫合等で設ける、
図５が示すとおりにスリンク部材（８）が正面の両方の力帯１（９），２（１０）を胸の前で交差したら、図６が示すように
力帯１（９）はスリンク部材（８）に折り返し、さらにスリンク部材（８）の上で右に平行して折り返して施し、前側の力帯１の折り曲げ部（１３）とし、それらの部材が動かないように身体収納パンツ（３）とスリンク部材（８）と力帯１の折り曲げ部（１３）とをあわせて施し、接着、溶着、圧着、縫合等で固定するように設ける、
また、正面の力帯２（９）も、スリンク部材（８）に向かって折り返し、さらにスリンク部材（８）上ですリンク部材（８）と平行して左に向かって折り返すように施して正面の力帯２の折り曲げ部（１３）とし部材が動かないように身体収納パンツ（３）とスリンク部材（８）と力帯２の折り曲げ部（１３）とをあわせて施し、接着、溶着、圧着、縫合等で固定するように設ける、
力帯１（９），２（１０）の背面部も正面と同様に、力帯１（９）をスリンク部材（８）の上からスリンク部材（８）に向かって折り、スリンク部材（８）の上で、背面では左方向にスリンク部材（８）と平行に折り曲げて力帯１．２背面折り曲げ部（１２）とし、力帯２（１０）をスリンク部材（８）の上からスリンク部材（８）に向かって折りスリンク部材（８）の上で、背面では右方向にスリンク部材（８）と平行に折り曲げて力帯１．２背面折り曲げ部（１２）とし、身体収納パンツ（３）と
【実施例】
【０００９】
はくだけハーネス本体（１９）をはくか、はかせるかしていれば、被災者ははくだけハーネスの本体（１９）の胸元にある本体のアイ（１５）２つをカラビナ（１８）でまとめ、カラビナ（１８）にワイヤーのフック（１７）を引っ掛けて吊り上げるか、カラビナ（１８）を使わずにはくだけハーネスのアイ（１５）をワイヤーフック（１７）で直接まとめて引っ掛け、ワイヤー（１６）を巻き上げて吊り上げても、被災者の体重をはくだけハーネス本体（１９）のスリンク（８）と力帯１（９）と力帯２（１０）とで被災者の体を支えるので、意識のない被災者でも落とすことのないはくだけハーネス本体（１９）を提供する。
【産業上の利用可能性】
【００１０】
自然災害の多い我が国の地勢において、震災、災害等の防災、救命、災害後の減災に役立ち、作る、販売する、工事する事で雇用の創出につながる。
【符号の説明】
【００１１】
１、  生地
２、  折り返し部
３、  身体収納パンツ
４、  身体挿入開口部
５、  足だし開口部
６、  側面接着縫合部
７、  足だし開口部補強布
８、  スリンク部材
９、  力帯１
１０、  力帯２
１１、  スリンクカバー部
１２、  力帯１,２背面折り曲げ部
１３、  力帯１,２正面折り曲げ部
１４、  スリンク部材通し穴
１５、  アイ
１６、  ワイヤー
１７、  ワイヤーフック
１８、  カラビナ
１９、  はくだけハーネス本体
【図１】
2017136169.tif 000003
【図２】
2017136169.tif 000004
【図３】
2017136169.tif 000005
【図４】
2017136169.tif 000006
【図５】
2017136169.tif 000007
【図６】
2017136169.tif 000008
【図７】
2017136169.tif 000009
【図８】
2017136169.tif 000010
【図９】
2017136169.tif 000011
【図１０】
2017136169.tif 000012
【図１１】
2017136169.tif 000013
【手続補正書】
【提出日】平成28年7月17日(2016.7.17)
【手続補正１】
【補正対象書類名】特許請求の範囲
【補正対象項目名】全文
【補正方法】変更
【補正の内容】
【特許請求の範囲】
【請求項１】
一枚の生地を上下に折り返した折り返し部（２）と、
折り返し部（２）の左右にそれぞれ有する開口部補強布（７）で補強した足だし開口部（５）と、
側面接着縫合部（６）と、上端部に身体挿入開口部（４）と、を有する身体収納パンツ（３）であって、
前期身体収納パンツ（３）は、
前期身体収納パンツ（３）の折り返し部（２）の正面視右側を通り、両端が身
体挿入開口部（４）に到るように設けられた力帯１（９）と、
前記身体収納パンツ（３）の折り返し部（２）の正面視左側を通り、両端が身
体挿入開口部（４）に到るように設けられた力帯２（１０）と、
身体収納パンツ（３）の身体挿入開口部（４）の外周にそって設けられたスリン
ク部材（８）とを有し、
前記スリンク部材（８）と、前記力帯１（９）、２（１０）と、前記身体収納
パンツ（３）の身体挿入開口部（４）を構成する生地の一部であってスリンク部
材（８）よりも外周に位置する身体身体収納パンツ（３）の生地とを、一体に身体収
納パンツ（３）に固定した、スリンクカバー部（１１）を有し、
前記スリンク部材（８）よりも外周に位置する身体収納パンツ（３）の生地に
は、前期スリンク部材（８）の端部を通すための２箇所のスリンク部材通し穴（
１４）が設けられており、
前記スリンク部材（８）は、スリンク部材通し穴（１４）を貫通し外周に位置
するスリンク部材（８）の端部によって、アイ（１５）が形成されているハーネスである。
【手続補正書】
【提出日】平成28年11月30日(2016.11.30)
【手続補正１】
【補正対象書類名】特許請求の範囲
【補正対象項目名】全文
【補正方法】変更
【補正の内容】
【特許請求の範囲】
【請求項１】
一枚の生地を上下に折り返した折り返し部（２）と、折り返し部（２）の左右にそれぞれ有する開口部補強布（７）で補強した足だし開口部（５）と、側面接着縫合部（６）と上端部に身体挿入開口部（４）と、を有する身体収納パンツ（３）であって、
前記身体挿入パンツ（３）は、
前記身体挿入パンツ（３）の折り返し部（２）の正面視右側を通り、両端が身体挿入開口部（４）に至るように設けられた力帯１（９）と、
前記身体挿入パンツ（３）の身体挿入開口部（４）の外周にそって設けられたスリンク部材（８）とを有し、
前記スリンク部材（８）と、前期力帯１（９）、２（１０）と、前期身体収納パンツ（３）の身体挿入開口部（４）を構成する生地の一部であってスリンク部材（８）よりも外周に位置する身体収納パンツ（３）の生地とを、一体に身体収納パンツ（３）に固定した、スリンクカバー部（１１）を有し、
前記スリンク部材（８）よりも外周に位置する身体収納パンツ（３）の生地には、前期スリンク部材（８）の端部を通すための２個所のスリンク部材通し穴（１４）が設けられており、
前記スリンク部材（８）は、スリンク部材（１４）を貫通し外周に位置するスリンク部材（８）の端部によって、アイ（１５）が形成されているハーネスである。